(57)【要約】【課題】固定刃体の刃先と回転刃体の刃先との刃合わせを、容易かつ自由度高く行えるようにする。【解決手段】固定刃体１は、切断対象物Ｍの送り込み方向に交叉する向きに長く続く刃先１０を有している。回転刃体２は、切断対象物Ｍの送り込み方向に交叉する向きに長く続く刃先２０を有すると共に、回転刃体２の刃先２０と固定刃体１の刃先１０とが接し合う回転刃体２の回転位置では常時一点で両刃先１０、２０が切断対象物Ｍを間に挟んで接し合うように回転軸２４に据え付けられている。回転刃体２の刃先２０が位置される仮想の線分Ｌ３が、回転刃体２の回転によって仮想の円筒形状の周面Ｒ’を形作る湾曲した線分Ｌ３となるように、この回転刃体２の刃先２０が成形されている。【選択図】図１
2006043816.tif 000002
【特許請求の範囲】
【請求項１】
固定刃体と回転刃体とを備えており、この固定刃体の刃先の先に送り込まれる切断対象物に対し回転刃体の回転によってこの回転刃体の刃先と固定刃体の刃先との協働により切断を施す装置であって、
固定刃体は、切断対象物の送り込み方向に交叉する向きに長く続く刃先を有しており、
回転刃体は、
切断対象物の送り込み方向に交叉する向きに長く続く刃先を有すると共に、
この回転刃体の刃先と固定刃体の刃先とが接し合う回転刃体の回転位置では常時一点で両刃先が切断対象物を間に挟んで接し合うように回転軸に据え付けられており、
しかも、この回転刃体の刃先が位置される仮想の線分が、回転刃体の回転によって仮想の円筒形状又は裁頭円錐形状の周面を形作る湾曲した線分となるように、この回転刃体の刃先が成形されていることを特徴とする切断装置。
【発明の詳細な説明】
【技術分野】
【０００１】
この発明は、固定刃体と回転刃体とを備え、この固定刃体の刃先の先に送り込まれる切断対象物に対し回転刃体の回転によってこの回転刃体の刃先と固定刃体の刃先との協働により切断を施す切断装置の改良に関する。
【背景技術】
【０００２】
固定刃体１００と回転刃体２００とを備えており、この固定刃体１００の刃先１０１の先に送り込まれる切断対象物Ｍに対しこの回転刃体２００の刃先２０１と固定刃体１００の刃先１０１との協働により切断を施す装置として、図１１に示される構成を備えたものがある。
【０００３】
かかる装置にあっては、固定刃体１００及び回転刃体２００は、切断対象物Ｍの送り込み方向Ｆに交叉する向きに長く続く刃先１０１、２０１を有している。また、両刃体１００、２００共に、この刃先１０１、２０１を仮想の直線に沿ったストレートなものとしている。
【０００４】
また、回転刃体２００は、回転軸２０２の回転軸線２０２ａに対し刃先２０１が位置される仮想の直線２０３を交叉させるようにこの回転軸２０２に据え付けられている。このため、かかる回転刃体２００を回転させた場合、この回転刃体２００の刃先２０１が位置される仮想の直線２０３は、その軌跡によって鼓形の単双曲線回転面Ｒを形作ることとなる。（図１２）
【０００５】
ここで、適切な切断をなすためには、この回転刃体２００の刃先２０１と固定刃体１００の刃先１０１とが接し合う回転刃体２００の回転位置では両刃先１０１、２０１が常時一点で切断対象物Ｍを間に挟んで接し合うようになる必要がある。（いわゆるハサミの原理）
【０００６】
しかるに、かかる切断装置にあっては、回転刃体２００の刃先２０１は前記単双曲線回転面Ｒ上を移動されるため、この回転刃体２００の刃先２０１と固定刃体１００の刃先１０１とが接し合う回転刃体２００の回転位置で両刃体１００、２００が常時一点で切断対象物Ｍを間に挟んで接し合うようにするためには、
この単双曲線回転面Ｒにおける最もくびれた箇所の仮想の断面円の円弧Ｒａと、回転軸２０２の回転軸線２０２ａを含んだ仮想の平面とが接し合う箇所ｘにおいては、
両刃先１０１、２０１を交叉させるようにしながら両刃先１０１、２０１の中間同士が接し合い、
かつ、固定刃体１００と回転刃体２００とは逆向きに傾くが、その傾斜角が同角となるように、
固定刃１００をセッティングする必要があった。
【０００７】
すなわち、従来のかかる切断装置にあっては、固定刃体１００のセッティングに厳格さが要求されていた。つまり、このセッティングに少しでもブレが生じると、回転刃体２００の回転によってこの回転刃体２００の刃先２０１に固定刃体１００の刃先１０１が接しない位置が生じたり、回転刃体２００の刃先２０１に固定刃体１００の刃先１０１が干渉し過ぎてしまい両刃体１００、２００の刃先１０１、２０１の摩耗を早めてしまうといった事態を生じさせてしまう。
【発明の開示】
【発明が解決しようとする課題】
【０００８】
この発明が解決しようとする主たる問題点は、この種の切断装置において、固定刃体の刃先と回転刃体の刃先との刃合わせ、つまり、セッティングを、容易かつ自由度高く行えるようにする点にある。
【課題を解決するための手段】
【０００９】
前記問題点を解決するために、この発明にあっては、切断装置を以下の（１）〜（４）の構成を備えたものとした。
（１）固定刃体と回転刃体とを備えており、この固定刃体の刃先の先に送り込まれる切断対象物に対し回転刃体の回転によってこの回転刃体の刃先と固定刃体の刃先との協働により切断を施す装置であって、
（２）固定刃体は、切断対象物の送り込み方向に交叉する向きに長く続く刃先を有しており、
（３）回転刃体は、
切断対象物の送り込み方向に交叉する向きに長く続く刃先を有すると共に、
この回転刃体の刃先と固定刃体の刃先とが接し合う回転刃体の回転位置では常時一点で両刃先が切断対象物を間に挟んで接し合うように回転軸に据え付けられており、
（４）しかも、この回転刃体の刃先が位置される仮想の線分が、回転刃体の回転によって仮想の円筒形状又は裁頭円錐形状の周面を形作る湾曲した線分となるように、この回転刃体の刃先が成形されている。
【００１０】
かかる構成によれば、回転刃体の刃先の位置される仮想の周面に、固定刃体の刃先が接するように、回転刃体に対し固定刃体をセッティングするだけで、固定刃体の刃先のどの位置においても、回転刃体の回転によって、回転刃体の刃先が、切断対象物を間に挟んで適切に接し合うようにすることができる。すなわち、固定刃体の刃先のうち少なくとも切断対象物の切断に使用する部分が全体として前記仮想の周面に接してさえいれば、どのレベルに固定刃体をマウントしても、回転刃体の回転によって、回転刃体の刃先が、切断対象物を間に挟んで適切に接し合うようにすることができる。また、固定刃体は、回転刃体の回転軸の回転軸線を含む仮想の平面又はこの平面に平行をなす平面にその刃先が位置されるようにマウントすることが可能となる。この結果、前記セッティングの自由度が高まると共に、このセッティングに厳密な配慮を払うことなく固定刃体の刃先と回転刃体との刃先とが適切に接し合った状態を作り出すことができる。
【発明の効果】
【００１１】
この発明によれば、切断装置を構成する回転刃体の刃先が位置される仮想の線分が回転刃体の回転によって仮想の円筒形状又は裁頭円錐形状の周面を形作る回転軌跡を描くようになっていることから、この周面に固定刃体の刃先を接しさせるように固定刃体をセッティングするだけで、かかる回転刃体の刃先と固定刃体の刃先とが回転刃体の回転によって常時一点で切断対象物を間に挟んで接し合うようにすることができる。すなわち、この発明によれば、固定刃体の刃先と回転刃体の刃先との刃合わせ、つまり、セッティングを、容易かつ自由度高く行なうことができる。
【発明を実施するための最良の形態】
【００１２】
以下、図１ないし図１０に基づいて、この発明を実施するための最良の形態について説明する。
【００１３】
なお、ここで図１および図３は、実施の形態にかかる切断装置の構成の概要を示しており、また、図２は、これを構成する固定刃体１をマウントベース１４から取り外すと共に、回転刃体２を回転軸２４から取り外した状態として示している。また、図４は、固定刃体１をその刃先１０側から見た状態として、また、図５は、回転刃体２をその刃先２０側から見た状態として、それぞれ示している。
【００１４】
図６は、前記回転刃体２となる原回転刃体３を表すと共に、これが回転刃体２となったときに据え付けられる回転軸２４の回転軸線Ｌ２を中心にこの原回転刃体３を回転させた場合のこの原回転刃体３の刃先３０の位置される仮想の線分Ｌ４（直線）の軌跡を一緒に表してこの仮想の線分Ｌ４により形作られる仮想の単葉双曲線回転面Ｒを理解できるようにしたものであり、また、図７は、この仮想の単葉双曲線回転面Ｒが仮想の円筒形状の周面Ｒ’となるように、原回転刃体３の刃先３０に研削を施す様子を表している。
【００１５】
図８は、図７の研削により最終的に得られる回転刃体２を表すと共に、これが据え付けられる回転軸２４の回転軸線Ｌ２を中心にこの回転刃体２を回転させた場合のこの回転刃体２の刃先２０の位置される仮想の湾曲した線分Ｌ３の軌跡を一緒に表してこの仮想の線分Ｌ３により形作られる仮想の円筒形状の周面Ｒ’を理解できるようにしたものであり、また、図９は、かかる回転刃体２を平面、右側面、左側面から見て、それぞれ表している。
【００１６】
また、図１０は、回転刃体２の刃先２０が、この回転刃体２の回転によって仮想の裁頭円錐形状の周面Ｒ”をこの刃先２０が位置される仮想の線分Ｌ３によって形作るように成形されている例を理解しやすいように、この仮想の裁頭円錐形状の周面Ｒ”と固定刃体１とを一緒に表している。
【００１７】
この実施の形態にかかる切断装置は、固定刃体１と回転刃体２とを備えており、この固定刃体１の刃先１０の先に送り込まれる切断対象物Ｍに対し回転刃体２の回転によってこの回転刃体２の刃先２０と固定刃体１の刃先１０との協働により切断を施すものである。
【００１８】
かかる切断対象物Ｍとしては、典型的には、その長さ方向に沿って搬送されて、前記固定刃体１の刃先１０の先に送り込まれる長尺のフィルムやシートや紙、あるいは、こうしたフィルムなどから三方シール包装や四方シール包装やピロータイプ包装などによって連続的に生成された複数の包装袋体よりなる帯状体などが予定される。かかる帯状体を切断するにあたっては、この帯状体の搬送方向に交叉する向きに施された隣り合う二つの包装袋体間を仕切るシール部の範囲内において、この帯状体を固定刃体１の刃先１０と回転刃体２の刃先２０とにより切断するようにするものとされ、これにより、かかる帯状体を順次に個々の包装袋体に切り分けることができる。
【００１９】
固定刃体１は、切断対象物Ｍの送り込み方向Ｆに交叉する向きに長く続く刃先１０を有している。
【００２０】
図示の例では、かかる固定刃体１は、平面視の状態において略長方形状をなすプレート体１１の長さ方向に沿った一辺部に亘って刃部１２を備えている。図示の例では、この刃部１２は、このプレート体１１の前記一辺部に、プレート体１１の下面に向かうに連れて前方に突き出す向きに傾斜したテーパー面１３を形成させることにより設けられており、このテーパー面１３の下端が固定刃体１の刃先１０となっている。図示の例では、この固定刃体１を構成するプレート体１１の長さ方向に沿った一辺部側がマウントベース１４の前側面から前方に突き出されるように、このマウントベース１４の上面にプレート体の下面を接しさせた状態で、このマウントベース１４に固定刃体１をボルト止めすることにより、このマウントベース１４に対し固定刃体１を据え付けさせている。かかる固定刃体１の刃先１０は仮想の直線Ｌ１上に位置されるストレートな刃先１０となっている。
【００２１】
一方、回転刃体２も、切断対象物Ｍの送り込み方向Ｆに交叉する向きに長く続く刃先２０を有している。
【００２２】
図示の例では、かかる回転刃体２は、平面視の状態において略長方形状をなすプレート体２１の長さ方向に沿った一辺部に亘って刃部２２を備えている。図示の例では、この刃部２２は、このプレート体２１の前記一辺部に、プレート体２１の下面２１ａに向かうに連れて前方に突き出す向きに傾斜したテーパー面２３を形成させることにより設けられており、このテーパー面２３の下端が回転刃体２の刃先２０となっている。
【００２３】
また、かかる回転刃体２は、この回転刃体２の刃先２０と固定刃体１の刃先１０とが接し合う回転刃体２の回転位置では常時一点で両刃先１０、２０が切断対象物Ｍを間に挟んで接し合うように回転軸２４に据え付けられている。
【００２４】
図示の例では、円柱状をなす回転軸２４であって、その回転軸線Ｌ２を前記固定刃体１の刃先１０が位置される仮想の直線Ｌ１に対して平行に配させる回転軸２４の側部に、この回転軸２４の一端側から他端側に向けて次第にその回転軸線Ｌ２に近づく向きに傾斜したマウント面２５を形成させている。そして、図示の例では、前記回転刃体２を構成するプレート体２１の長さ方向に沿った一辺部側が回転軸２４の周面から側方に突き出されるように、この回転軸２４のマウント面２５にプレート体２１の下面を接しさせた状態で、このマウント面２５に回転刃体２をボルト止めすることにより、この回転軸２４に対し回転刃体２を据え付けさせている。
【００２５】
すなわち、回転刃体２の刃先２０は、この回転刃体２をその刃先２０の前方側から、つまり、正面から見た状態において、この刃先２０を回転軸２４の回転軸線Ｌ２に交叉させ、かつ、固定刃体１の刃先１０の位置される仮想の直線Ｌ１に対しても交叉させる傾きを持つようになっている。（図５）
【００２６】
これにより、かかる回転刃体２の回転によって、この回転刃体２の刃先２０と固定刃体１の刃先１０とは、常時一点で切断対象物Ｍを間に挟んで接し合うものとされ、接し合うこの一点の位置が回転刃体２の回転によって変位されていくことによって、切断対象物Ｍはその送り込み方向Ｆに交叉する向きに沿って円滑に切断される。
【００２７】
また、かかる回転刃体２の刃先２０は、この回転刃体２の刃先２０が位置される仮想の線分Ｌ３が、この回転刃体２の回転によって仮想の円筒形状の周面Ｒ’を形作る湾曲した線分Ｌ３となるように、成形されている。（図８）
【００２８】
回転刃体２の刃先２０の位置される仮想の線分Ｌ４（直線）を、回転刃体２をその正面から見た状態においては回転軸２４の回転軸線Ｌ２に対し交叉させるが、この回転刃体２をその上方側から、つまり、平面から視た状態においてはこの回転軸線Ｌ２に対し平行に配した回転刃体（以下、この回転刃体を原回転刃体３と称する。）を、この回転軸線Ｌ２を中心として回転させると、この原回転刃体３の刃先３０の位置される仮想の線分Ｌ４（直線）は仮想の単葉双曲線回転面Ｒを形作る。（すなわち、仮想の鼓形状の周面を形作る。／図６）このように原回転刃体３を回転させながら、原回転刃体３の回転軸２４の回転軸線Ｌ２に平行に研削砥石４などを移動させて原回転刃体３の刃先３０を研削すると、この原回転刃体３の刃先３０が位置される仮想の線分Ｌ４が、この原回転刃体３の回転によって仮想の円筒形状の周面Ｒ’を形作るようにすることができる。（図７から図８）この研削によって原回転刃体３の刃先３０が位置される仮想の線分Ｌ４は湾曲した線分Ｌ３となる。図示の例では、前記仮想の単葉双曲線回転面Ｒにおける最も径の小さい箇所の周面に接するか、それよりも内方に位置される回転軸２４の回転軸線Ｌ２に平行となる線分Ｌ５に沿って前記研削をなすようにしている。そして、この実施の形態にあっては、このようにして得られた原回転刃体３を回転刃体２として、切断装置を構成させている。
【００２９】
この結果、この実施の形態にかかる装置にあっては、回転刃体２の刃先２０の位置される仮想の周面Ｒ’に、固定刃体１の刃先１０が接するように、回転刃体２に対し固定刃体１をセッティングするだけで、固定刃体１の刃先１０のどの位置においても、回転刃体２の回転によって、回転刃体２の刃先２０が、切断対象物Ｍを間に挟んで適切に接し合うようにすることができる。すなわち、固定刃体１の刃先１０のうち少なくとも切断対象物Ｍの切断に使用する部分が全体として前記仮想の周面Ｒ’に接してさえいれば、どのレベルに固定刃体１をマウントしても、回転刃体２の回転によって、回転刃体２の刃先２０が、切断対象物Ｍを間に挟んで適切に接し合うようにすることができる。また、固定刃体１は、回転刃体２の回転軸２４の回転軸線Ｌ２を含む仮想の平面又はこの平面に平行をなす平面にその刃先１０が位置されるようにマウントすることが可能となる。この結果、前記セッティングの自由度が高まると共に、このセッティングに厳密な配慮を払うことなく固定刃体１の刃先１０と回転刃体２との刃先とが適切に接し合った状態を作り出すことができる。
【００３０】
回転刃体２の刃先２０が位置される仮想の線分Ｌ３が、回転刃体２の回転によって仮想の裁頭円錐形状の周面Ｒ”を形作る湾曲した線分Ｌ３となるように、この回転刃体２の刃先２０を成形させておくこともでき、この場合にも前記と同様の効果が得られる。
【００３１】
この場合には、前記周面Ｒ”が回転刃体２の回転軸２４の回転軸線Ｌ２に対し平行とならないことから、この周面Ｒ”に刃先１０を接しさせるようにマウントされる固定刃体１の刃先１０が位置される仮想の直線Ｌ１が前記回転軸線Ｌ２と平行とならない態様で、回転刃体２の刃先２０に固定刃体１の刃先１０を接しさせることができる。（図１０）
【図面の簡単な説明】
【００３２】
【図１】切断装置の要部構成図
【図２】同分解構成図
【図３】同側面構成図
【図４】図１におけるＡ方向から見た切断装置の側面構成図
【図５】図１におけるＢ方向から見た切断装置の側面構成図
【図６】原回転刃体３の斜視構成図
【図７】原回転刃体３の研削の様子を示した斜視構成図
【図８】回転刃体２の斜視構成図
【図９】回転刃体２の平面構成図（ａ図）、左側面構成図（ｂ図）および右側面構成図（ｃ図）
【図１０】回転刃体２の刃先２０が位置される仮想の線分Ｌ３が回転刃体２の回転によって仮想の裁頭円錐形状Ｒ”の周面を形作る湾曲した線分Ｌ３となるように回転刃体２の刃先２０を成形させた例を示した平面構成図
【図１１】従来例を示した斜視構成図
【図１２】従来例における固定刃体１と回転刃体２とのセッティングの仕方を示した斜視構成図
【符号の説明】
【００３３】
１  固定刃体
１０  刃先
２  回転刃体
２０  刃先
２４  回転軸
Ｌ３  仮想の線分
Ｒ、Ｒ”  周面
Ｍ  切断対象物
【図１】
2006043816.tif 000003
【図２】
2006043816.tif 000004
【図３】
2006043816.tif 000005
【図４】
2006043816.tif 000006
【図５】
2006043816.tif 000007
【図６】
2006043816.tif 000008
【図７】
2006043816.tif 000009
【図８】
2006043816.tif 000010
【図９】
2006043816.tif 000011
【図１０】
2006043816.tif 000012
【図１１】
2006043816.tif 000013
【図１２】
2006043816.tif 000014